(57)【特許請求の範囲】
【請求項１】
複数の音声ＩＰ端末装置がＩＰネットワークに接続され、音声データを伝送するよう構成された音声ＩＰ伝送システムにおいて、上記音声ＩＰ端末装置をそれぞれ特定する番号及びＩＰアドレスの対応テーブルと、それぞれ呼制御を実行する複数の第一の呼制御部と、この第一の呼制御部を管理する呼制御管理部とを有し、上記呼制御の実行により音声データを送信する送信側の音声ＩＰ端末装置、上記対応テーブルと、上記送信側の音声ＩＰ端末装置の第一の呼制御部との間で呼制御を実行する第二の呼制御部とをそれぞれ有し、上記呼制御の実行により上記送信側の音声ＩＰ端末装置から送信される音声データを受信する複数の受信側の音声ＩＰ端末装置、マンマシンインタフェースを有すると共に、上記送信側の音声ＩＰ端末装置に音声データを送信させるよう受信側の音声ＩＰ端末装置の番号情報を含むコマンドを発行するＨＩＦ装置を備え、上記送信側の音声ＩＰ端末装置は、上記ＨＩＦ装置からのコマンドに応じて、上記対応テーブルから得られるＩＰアドレスを用いて上記複数の第一の呼制御部により、上記第一の呼制御部に対応する受信側の音声ＩＰ端末装置にそれぞれ呼制御を実行して音声データを送信することを特徴とする音声ＩＰ伝送システム。
【請求項２】
送信側の音声ＩＰ端末装置は、アナログ音声信号を入出力する音声インタフェース部と、アナログ音声信号と符号化音声データとの変換を行うＣＯＤＥＣ部と、ＩＰネットワークに接続され音声データの送受信を行うＬＡＮインタフェース部とを有し、上記音声インタフェース部により入力されたアナログ音声信号が上記ＣＯＤＥＣ部により符号化音声データに変換されて上記ＬＡＮインタフェース部により送信されることを特徴とする請求項１記載の音声ＩＰ伝送システム。
【請求項３】
受信側の音声ＩＰ端末装置は、アナログ音声信号を入出力する音声インタフェース部と、アナログ音声信号と符号化音声データとの変換を行うＣＯＤＥＣ部と、ＩＰネットワークに接続され音声データの送受信を行うＬＡＮインタフェース部とを有し、上記ＬＡＮインタフェース部によって受信された音声データが上記ＣＯＤＥＣ部によりアナログ音声信号に変換されて上記音声インタフェース部により出力されることを特徴とする請求項１または請求項２記載の音声ＩＰ伝送システム。
【請求項４】
音声ＩＰ端末装置は、設定により受信側の音声ＩＰ端末装置または送信側の音声ＩＰ端末装置として機能するように構成されていることを特徴とする請求項１〜請求項３のいずれか一項記載の音声ＩＰ伝送システム。
【請求項５】
送信側の音声ＩＰ端末装置から送信される音声データには、上記送信側の音声ＩＰ端末装置に接続された電話機からの音声データが含まれると共に、対応テーブルの番号には上記電話機の電話番号が含まれていることを特徴とする請求項１〜請求項４のいずれか一項記載の音声ＩＰ伝送システム。
【請求項６】
受信側の音声ＩＰ端末装置は、音声データを蓄積するバッファを有すると共に、上記バッファに蓄積された音声データは、呼制御の実行により上記音声データが送信される送信側の音声ＩＰ端末装置及び受信側の音声ＩＰ端末装置のいずれか一方または両方で再生されることを特徴とする請求項１〜請求項５のいずれか一項記載の音声ＩＰ伝送システム。
【請求項７】
送信側の音声ＩＰ端末装置は、音声データを蓄積するバッファを有すると共に、上記バッファに蓄積された音声データは、送信側の音声ＩＰ端末装置及び受信側の音声ＩＰ端末装置のいずれか一方または両方で再生されることを特徴とする請求項１〜請求項６のいずれか一項記載の音声ＩＰ伝送システム。
【請求項８】
バッファに蓄積された音声データは、上記バッファに蓄積されないリアルタイムの音声データと同期されて出力されることを特徴とする請求項６または請求項７記載の音声ＩＰ伝送システム。
【請求項９】
バッファに蓄積された音声データは、固定音声で再生されることを特徴とする請求項６〜請求項８のいずれか一項記載の音声ＩＰ伝送システム。
【発明の詳細な説明】
【０００１】
【発明の属する技術分野】
この発明は、監視制御システムなどにおける音声による警報出力などを目的として、ＩＰ（Ｉｎｔｅｒｎｅｔ  Ｐｒｏｔｏｃｏｌ）ネットワーク上で音声データを伝送する音声ＩＰ伝送システムに関するものである。
【０００２】
【従来の技術】
従来のＩＰネットワークを用いた音声放送システムとしては、例えば特開２００１−１５６８４７号公報に開示されたものがある。この例は、加入者端末装置による放送システムとして記載されているが、監視制御システムにおいても、既にＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）としてＩＰネットワーク環境が構築されているところに、音声放送システムを増設するような場合は、音声専用ケーブルを新たに設置するよりも、同一のＩＰネットワーク上に音声放送システムを構築する方が、コスト・期間の両面から有利である。
【０００３】
図８は、上記公報に示された従来の音声放送システムを示す構成図である。
図８において、１は音声ＩＰ端末装置である。２は音声ＩＰ端末装置１に接続された電話機、３は音声ＩＰ端末装置１に接続された放送用のスピーカ、４は音声ＩＰ端末装置１に接続されたマイクである。５は音声ＩＰ端末装置１が接続されたＬＡＮやＷＡＮ等のＩＰネットワークである。８はＩＰネットワーク５に接続されたゲートキーパー、９はＩＰネットワーク５に接続されたマルチキャストサーバである。
１０は音声ＩＰ端末装置１に設けられ、マルチキャストサーバ９からＩＰネットワーク５を介して配信されるマルチキャストパケットの中から、自装置で受信するマルチキャストパケットのＩＰアドレスを格納したマルチキャストＩＰアドレステーブルである。１１はゲートキーパー８に備えられ、端末装置固有の番号と装置のＩＰアドレスとを対応づける番号−ＩＰアドレス対応テーブルである。１２はマルチキャストサーバ９に備えられ、放送用番号毎にそれぞれ異なるマルチキャストＩＰアドレスを対応付けた放送用番号−マルチキャストＩＰアドレス対応テーブルである。
【０００４】
次に、動作について説明する。
音声放送を行おうとする発信者は、電話機のダイヤルなどにより放送用番号を送出する。発信者の音声ＩＰ端末装置１は、放送用番号を着アドレス情報とし、発信端末の固有番号を発アドレス情報としたデータを含むＩＰパケットをゲートキーバー８に送信する。
ゲートキーバー８は、受信したＩＰパケットに含まれる着アドレス情報としての放送用番号から、番号−ＩＰアドレス対応テーブル１１により、マルチキャストサーバ９のＩＰアドレスを取得し、このＩＰアドレスを発信者の音声ＩＰ端末装置１に通知するとともに、マルチキャストサーバ９に前述の着アドレス情報（放送用番号）及び発アドレス情報（発信者の固有番号またはＩＰアドレス）をＩＰパケットにより通知する。
【０００５】
マルチキャストサーバ９は、ゲートキーパー８から通知された放送用番号から、放送用番号−ＩＰアドレス対応テーブル１２により、対応するマルチキャストＩＰアドレスを取得し、ゲートキーパー８に対して放送確認の応答パケットを送出する。
放送確認の応答パケットを受取ったゲートキーパー８は、音声ＩＰ端末装置１に対して同様に放送確認の応答パケットを送出する。
さらにこの応答パケットを受取った音声ＩＰ端末装置１は、音声信号を音声パケットに変換し、音声パケットをマルチキャストサーバ９宛にユニキャスト送信する。ここで、音声パケットなどのリアルタイム情報を形成するプロトコルとしては、ＲＴＰ（Ｒｅａｌ−ｔｉｍｅ  Ｔｒａｎｓｐｏｒｔ  Ｐｒｏｔｏｃｏｌ）などが知られている。
【０００６】
マルチキャストサーバ９は、受信した音声パケットを、当該放送用番号に対応したマルチキャストＩＰアドレス宛にマルチキャスト送信する。ＩＰパケットのマルチキャスト送信については、ＩＧＭＰ（Ｉｎｔｅｒｎｅｔ  Ｇｒｏｕｐ  Ｍａｎａｇｅｍｅｎｔ  Ｐｒｏｔｏｃｏｌ）などのプロトコルで規定された方式が実装されている必要がある。
受信者側の音声ＩＰ端末装置１は、マルチキャストサーバ９から送信されるパケットの中から、自装置のマルチキャストＩＰアドレステーブル１０に格納された自装置のＩＰアドレス宛のパケットを受信し、このパケットの音声データを音声信号に変換してスピーカ３から出力する。
【０００７】
【発明が解決しようとする課題】
従来の音声放送システムは、以上のように構成されており、複数局への音声データ送信を実現するためにマルチキャストを利用しているので、専用のゲートキーパー８やマルチキャストサーバ９を設置して、音声ＩＰ端末装置毎に番号−ＩＰアドレス対応テーブル１やマルチキャストＩＰアドレスの設定をすることが必要である。
一方、監視制御システムにおける音声放送では、上述の音声ＩＰ端末装置に相当する子局装置の数は、一般的な放送システムのように加入者分必要というものではなく、また、伝送する音声は、警報音声などの一時的なものとなることが多い。つまり、接続される音声ＩＰ端末装置数が有限であり、音声伝送に必要な帯域は比較的少ないという点で一般的な放送システムと異なる。こうした条件から、ゲートキーパー８やマルチキャストサーバ９、またはマルチキャスト送信が可能な装置（ルータなど）を必要とせず、既存のシステムに増設可能な簡易的な音声伝送システムが望まれる。
【０００８】
この発明は、上記のような問題点を解決するためになされたものであり、専用のゲートキーパーやマルチキャストサーバ、またはマルチキャスト送信が可能な装置（ルータなど）などの管理装置を設置することなく音声ＩＰ端末装置同士のみでＩＰネットワークによる音声データの伝送ができる音声ＩＰ伝送システムを得ることを目的とする。
【０００９】
【課題を解決するための手段】
この発明に係わる音声ＩＰ伝送システムにおいては、複数の音声ＩＰ端末装置がＩＰネットワークに接続され、音声データを伝送するよう構成された音声ＩＰ伝送システムにおいて、音声ＩＰ端末装置をそれぞれ特定する番号及びＩＰアドレスの対応テーブルと、それぞれ呼制御を実行する複数の第一の呼制御部と、この第一の呼制御部を管理する呼制御管理部とを有し、呼制御の実行により音声データを送信する送信側の音声ＩＰ端末装置と、対応テーブルと、送信側の音声ＩＰ端末装置の第一の呼制御部との間で呼制御を実行する第二の呼制御部とをそれぞれ有し、呼制御の実行により送信側の音声ＩＰ端末装置から送信される音声データを受信する複数の受信側の音声ＩＰ端末装置と、マンマシンインタフェースを有すると共に、送信側の音声ＩＰ端末装置に音声データを送信させるよう受信側の音声ＩＰ端末装置の番号情報を含むコマンドを発行するＨＩＦ装置を備え、送信側の音声ＩＰ端末装置は、ＨＩＦ装置からのコマンドに応じて、対応テーブルから得られるＩＰアドレスを用いて複数の第一の呼制御部により、第一の呼制御部に対応する受信側の音声ＩＰ端末装置にそれぞれ呼制御を実行して音声データを送信するものである。
【００１０】
また、送信側の音声ＩＰ端末装置は、アナログ音声信号を入出力する音声インタフェース部と、アナログ音声信号と符号化音声データとの変換を行うＣＯＤＥＣ部と、ＩＰネットワークに接続され音声データの送受信を行うＬＡＮインタフェース部とを有し、音声インタフェース部により入力されたアナログ音声信号がＣＯＤＥＣ部により符号化音声データに変換されてＬＡＮインタフェース部により送信されるものである。
また、受信側の音声ＩＰ端末装置は、アナログ音声信号を入出力する音声インタフェース部と、アナログ音声信号と符号化音声データとの変換を行うＣＯＤＥＣ部と、ＩＰネットワークに接続され音声データの送受信を行うＬＡＮインタフェース部とを有し、ＬＡＮインタフェース部によって受信された音声データがＣＯＤＥＣ部によりアナログ音声信号に変換されて音声インタフェース部により出力されるものである。
【００１１】
さらに、音声ＩＰ端末装置は、設定により受信側の音声ＩＰ端末装置または送信側の音声ＩＰ端末装置として機能するように構成されているものである。
また、送信側の音声ＩＰ端末装置から送信される音声データには、送信側の音声ＩＰ端末装置に接続された電話機からの音声データが含まれると共に、対応テーブルの番号には電話機の電話番号が含まれているものである。
【００１２】
また、受信側の音声ＩＰ端末装置は、音声データを蓄積するバッファを有すると共に、バッファに蓄積された音声データは、呼制御の実行により音声データが送信される送信側の音声ＩＰ端末装置及び受信側の音声ＩＰ端末装置のいずれか一方または両方で再生されるものである。
さらにまた、送信側の音声ＩＰ端末装置は、音声データを蓄積するバッファを有すると共に、バッファに蓄積された音声データは、送信側の音声ＩＰ端末装置及び受信側の音声ＩＰ端末装置のいずれか一方または両方で再生されるものである。
【００１３】
また、バッファに蓄積された音声データは、バッファに蓄積されないリアルタイムの音声データと同期されて出力されるものである。
また、バッファに蓄積された音声データは、固定音声で再生されるものである。
【００１４】
【発明の実施の形態】
実施の形態１．
以下、この発明の実施の形態１を図に基づいて説明する。
図１は、この発明の実施の形態１による音声ＩＰ伝送システムを示すシステム構成図である。
図１において、１３は音声ＩＰ端末装置のうちの音声警報などの放送を行う送信側となる音声ＩＰ親局装置（送信側の音声ＩＰ端末装置）、１４は音声ＩＰ端末装置のうちの音声警報などの放送を受信する側の音声ＩＰ子局装置（受信側の音声ＩＰ端末装置）である。２は電話機、３はスピーカで、それぞれ音声ＩＰ親局装置１３及び音声ＩＰ子局装置１４に接続されている。４は音声ＩＰ親局装置１３に接続されたマイク、５は音声ＩＰ親局装置１３及び音声ＩＰ子局装置１４が接続されたＬＡＮまたはＷＡＮなどのＩＰネットワーク、１５は音声ＩＰ子局装置１４に接続された集音マイクである。１６はＩＰネットワーク５に接続され、マンマシンインタフェースを有すると共に、音声ＩＰ端末装置１３に音声データの送信を行うようコマンドを発行するＨＩＦ（Ｈｕｍａｎ  Ｉｎｔｅｒｆａｃｅ）装置である。
【００１５】
図２は、この発明の実施の形態１による音声ＩＰ伝送システムの音声ＩＰ子局装置の内部構成を示す図である。
図２において、１４は音声ＩＰ子局装置である。１１１は電話機２を制御して音声信号の入出力を行う電話機インタフェース部である。１１２はスピーカ３や集音マイク１５などとの汎用音声入出力を行う汎用音声インタフェース部（音声インタフェース部）である。１１３はアナログ音声信号を音声符号化したり、符号化音声データをアナログ音声信号に変換する機能をもつＣＯＤＥＣ部である。１１４は符号化された音声データの送受信待ちを行うためのバッファを持つバッファ管理部である。１１５は音声データや呼制御メッセージデータなどを、ＩＰネットワーク５を介して送受信する機能をもつ送受信部である。１１６はＩＰネットワーク５に接続された他の音声ＩＰ端末装置との間でデータの送受信を行うＬＡＮインタフェース部である。１１７は電話番号や装置番号などと、対応する装置のＩＰアドレスとの変換を行う番号−ＩＰアドレス対応テーブルである。１１８は１対１の呼接続や呼切断を制御する呼制御部（第二の呼制御部）である。
【００１６】
図３は、この発明の実施の形態１による音声ＩＰ伝送システムの音声ＩＰ親局装置の内部構成を示す図である。
図３において、１３は音声ＩＰ親局装置である。１１１〜１１７は図２の音声ＩＰ子局装置１４の構成と同一である。１１８は呼制御部（第一の呼制御部）であるが、音声ＩＰ子局装置１４の場合と異なり、放送を行う局数に応じて複数の呼制御部が備えられている。
１１９はＨＩＦ装置１６から呼制御コマンドを受けて、呼制御部１１８に処理の実行を指示する呼制御管理部である。
【００１７】
次に、動作について説明する。
あらかじめ、ＨＩＦ装置１６にて、音声放送を行いたい全ての音声ＩＰ子局装置１４の装置番号を登録しておく。ＨＩＦ装置１６より音声ＩＰ親局装置１３の呼制御管理部１１９に対して、音声放送の要求コマンドを発行することにより、各音声ＩＰ端末装置間の呼制御シーケンスが動作する。
ＶｏＩＰ（Ｖｏｉｃｅ  ｏｖｅｒ  ＩＰ）に用いられる呼制御プロトコルとしては、ＴＣＰ（Ｔｒａｎｓｍｉｓｓｉｏｎ  Ｃｏｎｔｒｏｌ  Ｐｒｏｔｏｃｏｌ）やＵＤＰ（Ｕｓｅｒ  Ｄａｔａｇｒａｍ  Ｐｒｏｔｏｃｏｌ）上で規定されている、Ｈ．３２３やＳＩＰ（Ｓｅｓｓｉｏｎ  Ｉｎｉｔｉａｔｉｏｎ  Ｐｒｏｔｏｃｏｌ）などが知られている。実施の形態１の呼制御部１１８では、こうした呼制御プロトコルが実装されるものとし、詳細な呼制御シーケンスの実現方法については省略する。
【００１８】
図４は、この発明の実施の形態１による音声ＩＰ伝送システムの呼制御シーケンスを示す図であり、複数の音声ＩＰ子局装置に音声放送する際の呼制御シーケンスを示すものである。この図では簡単のため、呼制御プロトコル固有のシーケンスや送達確認シーケンスなどは省略し、１本の双方向矢印で１組の呼制御シーケンスを表すものとする。また、ここでは呼接続について説明するが、呼切断についても同様のシーケンスにより実現可能である。
ＨＩＦ装置１６は、音声ＩＰ親局装置１３の呼制御管理部１１９に対して接続要求コマンドを発行する。この接続要求コマンドには、事前にＨＩＦ装置１６に登録されている放送対象装置番号の情報が含まれているものとする。呼制御管理部１１９は、接続要求コマンドを受信すると、自音声ＩＰ端末装置内の呼制御部１１８に対して呼接続要求コマンドを発行する。放送対象音声ＩＰ端末装置の数に応じて複数の呼制御部１１８に対して個別の装置番号を渡す。呼制御部１１８では、装置番号を対応するＩＰアドレスに変換した上で、該当する音声ＩＰ子局装置１４に対して呼接続を行う。呼接続が確立すると、呼制御管理部１１９に対して完了メッセージを発行する。呼制御管理部１１９では、全ての呼接続が完了したタイミングで、送受信部１１５に、音声ＩＰ子局装置１４のＩＰアドレスとポート番号などの呼制御情報を渡した上で、ＨＩＦ装置１６に完了メッセージを発行する。ＨＩＦ装置１６では、この完了メッセージを受信した時点で音声放送が可能になったことを認識することができる。
【００１９】
図５は、この発明の実施の形態１による音声ＩＰ伝送システムの音声データ送信シーケンスを示す図である。
図５では、マイク４から入力された音声信号は、汎用音声インタフェース部１１２を経由して、ＣＯＤＥＣ部１１３により符号化音声データに変換される。変換された音声データは、バッファ管理部１１４に渡り、送信バッファにキューイングされる。送受信部１１５は、ＬＡＮの送信が可能になった時点で、送信バッファから音声データを取り出す。次に、呼接続シーケンスで事前に取得している呼制御情報に基づいて送信するＩＰアドレス・ポート番号別に同一の音声データを送信する。
【００２０】
このように、音声ＩＰ子局装置１４にて、１対１接続が可能な呼制御部１１８を備えると共に、音声ＩＰ親局装置１３にて複数の呼制御部１１８を備えているので、システムにゲートキーパーやマルチキャストサーバなどの装置を構築する必要がなく、複数の音声ＩＰ子局装置１４に対してそれぞれ呼接続を行い、同一の音声データを送信することができる。
また、呼制御管理部１１９が、ＨＩＦ装置１６からの要求コマンド内に含まれる放送対象音声ＩＰ端末装置の情報を解析するので、使用者がＨＩＦ装置１６で放送対象音声ＩＰ端末装置の番号を設定することにより、動的に放送対象音声ＩＰ端末装置を変更することができる。
また、上記では、音声ＩＰ親局装置１３と音声ＩＰ子局装置１４とは別の構成とされているが、音声ＩＰ親局装置１３の呼制御部１１８の数を初期設定決定できるように構成するか、または動的に数を変更できるように構成し、かつ呼制御管理部１１９の動作可否を設定できるように構成することにより、音声ＩＰ親局装置１３、及び音声ＩＰ子局装置１４とも同一構成の音声ＩＰ端末装置として実現することができる。
【００２１】
実施の形態１によれば、音声入出力装置が電話機か汎用音声かによらず、受信側（音声ＩＰ子局装置）に呼制御部を設け、送信側（音声ＩＰ親局装置）に複数の呼制御部と呼制御管理部を設けて、音声ＩＰ親局装置と音声ＩＰ子局装置間で１対１の呼制御が行えるように構成したので、専用のゲートキーパーやマルチキャストサーバ、またはマルチキャスト送信が可能な装置（ルータなど）などの管理装置を設置することなく、音声ＩＰ端末装置同士のみでＩＰネットワークによる音声データの放送を実現することができる。
【００２２】
実施の形態２．
実施の形態２は、図１〜３を援用して説明する。
実施の形態１では、マイク４から汎用音声インタフェース部１１２への音声信号を入力音声として音声伝送する場合について述べたが、実施の形態２は、電話機２と汎用音声で同一の呼制御プロトコルを用い、電話機２の電話番号と汎用音声インタフェース部１１２に使用する装置番号を含めた番号体系を設定することにより、例えば音声ＩＰ親局装置１３の電話機２から電話機インタフェース部１１１への音声信号を入力音声として適用すれば、音声ＩＰ親局装置側の電話機２から音声ＩＰ子局装置側のスピーカ３に対して音声出力することができるようにした。
【００２３】
実施の形態２によれば、電話機と汎用音声とで同一の呼制御プロトコルと番号体系を設けたので、電話機２と汎用音声の相互接続が可能となり、音声ＩＰ親局装置１３では、マイク・スピーカが不要になり、電話機のみで必要な機能を満たすことができる。
【００２４】
実施の形態３．
実施の形態３は、図１〜図３を援用する。
実施の形態１及び実施の形態２では、話者の肉声をマイク４や電話機２を通じて音声信号として入力し、符号化音声データに変換してリアルタイムに送信する場合について述べたが、符号化音声データを音声ＩＰ子局装置１４内に蓄積しておくことにより、録音された音声を放送するのと同様に、固定音声による放送を実現することができる。また、集音マイク１５から取り込んだ音声を符号化音声データの形式で蓄積しておくことにより、必要に応じて音声ＩＰ親局装置側で音声ＩＰ子局装置周辺の録音音声を再生することができる。
図６は、この発明の実施の形態３による音声ＩＰ伝送システムのバッファ構成を示す図である。
図６において、１１３、１１４、１１５は図２のものと同一のものである。
【００２５】
以下、送信部（図中左側）、受信部（図中右側）の順に動作を説明する。
まず、送信部について動作を説明する。通常の送信では、符号化音声データはＣＯＤＥＣ部１１３からバッファ管理部１１４に渡される。バッファ管理部１１４は、音声データをリアルタイム送信バッファに格納する。リアルタイム送信バッファは、ＦＩＦＯ（Ｆｉｒｓｔ−Ｉｎ−Ｆｉｒｓｔ−Ｏｕｔ：先入れ先出し方式）形式となっており、格納されたデータは、順次送受信部１１５の送信部から取り出されてリアルタイム送信される。しかし、音声ＩＰ親局装置１３から録音開始の要求コマンドを呼制御部１１８が受取ると、呼制御部１１８はバッファ管理部１１４に対して録音の開始を指示する。音声ＩＰ親局装置１３からのコマンドについては後述する。バッファ管理部１１４は、録音開始の指示により、格納するバッファをリアルタイム送信バッファから録音蓄積バッファに切り替える。このバッファにはセル毎に録音番号がついている（図の場合１〜８）。コマンドにより指定された番号のバッファに一定時間または、録音停止の指示があるまで蓄積を続ける。一定時間の経過または録音停止の指示があれば、バッファ管理部１１４は、録音蓄積バッファへの格納を停止し、リアルタイム送信バッファへの格納を再開する。音声ＩＰ親局装置１３から録音音声データ再生の要求コマンドがあった場合は、送受信部１１５の送信部は、指定された録音番号のバッファからデータを取り出して音声ＩＰ親局装置１３に送信する。
【００２６】
次に、受信部について動作を説明する。
あらかじめ、固定音声蓄積バッファに固定音声データを格納しておく。固定音声蓄積バッファにはセル毎に音片番号（図の場合１〜８）がついている。固定音声再生の要求時には、この音片番号を指定する。その他の動作は基本的に送信部と同様である。
なお、音声ＩＰ親局装置１３からの録音・再生などの要求コマンドについては、呼制御プロトコルのメッセージ内に含めることができる。ＨＩＦ装置１６から要求コマンドを発行すれば、音声ＩＰ親局装置１３の呼制御管理部１１９から呼制御部１１８に指示を出す。あとは、音声ＩＰ親局装置１３及び音声ＩＰ子局装置１４の両局の呼制御部１１８にて呼制御メッセージ内のコマンドを認識し、バッファ管理部１１４に指示を出すことにより実現可能である。
【００２７】
実施の形態３によれば、音声ＩＰ子局装置に音声データを蓄積するバッファと、蓄積された音声データを音声ＩＰ親局装置または音声ＩＰ子局装置で再生する機能を設けたので、録音された音声を放送するのと同様に固定音声による放送を実現したり、音声ＩＰ子局装置の集音マイクから取り込んだ音声を符号化音声データの形式で蓄積しておき、必要に応じて音声ＩＰ親局装置で音声ＩＰ子局装置周辺の音声を再生することができる。
【００２８】
実施の形態４．
実施の形態３では、符号化音声データを音声ＩＰ子局装置内に蓄積する場合について述べたが、実施の形態４は、音声ＩＰ親局装置にデータ蓄積しておくことにより、リアルタイムに音声ＩＰ子局装置から受信した音声データを繰り返し再生することができるようにした。また、放送用固定音声を音声ＩＰ親局装置で一元管理して、放送時に同一音声を配信することができる。
実施の形態４のバッファの構成は、図６と同様であるが、音声ＩＰ子局装置における固定音声蓄積バッファは、音声ＩＰ親局装置では音声ＩＰ子局装置からの音声データ用の録音蓄積バッファとして置き換える。逆に、音声ＩＰ子局装置における録音蓄積バッファを音声ＩＰ親局装置では固定音声蓄積バッファとして置き換える。
【００２９】
実施の形態４によれば、音声ＩＰ親局装置に音声データを蓄積するバッファと、蓄積された音声データを音声ＩＰ親局装置または音声ＩＰ子局装置で再生する機能を設けたので、リアルタイムに音声ＩＰ子局装置から受信した音声データを繰り返し再生したり、放送用固定音声を音声ＩＰ親局装置で一元管理して、放送時に同一音声を配信したりすることができる。
【００３０】
実施の形態５．
実施の形態５は、図１〜図３を援用する。
実施の形態１〜実施の形態４では、話者の肉声または蓄積音声（音片）データの一方を伝送する場合について述べたが、実施の形態５は、バッファ管理部１１４に固定音声蓄積バッファとリアルタイム受信バッファの同期制御を行う機能を設けることにより、話者の肉声と音片データの同期をとり、話者の肉声の前後に音片データによる音声を放送することができるようにした。この実施の形態５は、例えば肉声による放送の前後にチャイム音を挿入したい場合に有効である。
【００３１】
図７は、この発明の実施の形態５による音声ＩＰ伝送システムの音声データ同期制御実現例を示す図であり、固定音声とマイク音声の双方を出力する場合のデータ出力順序を図式化したものである。
この図を例として説明する。この例では、５秒間のマイク音声の前に２秒間の固定音声Ａ、マイク音声の後に１秒間の固定音声Ｂを出力するようにしている。簡単のため、１目盛を１秒間の音声データと仮定する。音声放送開始と同時に固定音声Ａ再生要求コマンドを発行する。ここで、固定音声Ａの再生には２秒間を要するが、固定音声は音声ＩＰ子局装置のスピーカから出力されるものであるため、一般に音声ＩＰ親局装置側では固定音声の出力が終了するタイミングを音声の終了として知ることはできない。
【００３２】
マイク集音と固定音声Ａの両方が同時に出力可能状態にある場合、どちらか一方しかＣＯＤＥＣ部１１３に渡すことができないため、例えば最初の２秒間は固定音声Ａが聞こえて、音声マイクの音は途中から聞こえるということになる。こうした場合を考慮して、バッファ管理部１１４で次のような制御機能を設ける。固定音声の再生中に受信した音声データは、リアルタイム受信バッファで保留しておく。固定音声の終了後に続いてリアルタイム受信バッファに保留中の音声データを順次ＣＯＤＥＣ部１１３に渡す。逆にリアルタイム受信バッファのデータの出力中は、固定音声の再生要求を保留し、終了した時点から固定音声の再生を開始する。
このようにバッファ管理部１１４で制御を行えば、音声データは図７のＣＯＤＥＣ部１１３のグラフのように、固定音声Ａ（Ａ１・Ａ２）、マイク音声（Ｍ１〜Ｍ５）、固定音声Ｂ（Ｂ１）の順に当初の目的通り出力することができる。
【００３３】
実施の形態５によれば、バッファ管理部に固定音声蓄積バッファとリアルタイム受信バッファの同期制御を行う機能を設けたので、例えば肉声による放送の前後にチャイム音を挿入したいような場合に、話者の肉声と音片データの同期をとり、話者の肉声の前後に音片データによる音声を放送することができる。
【００３４】
【発明の効果】
この発明は、以上説明したように構成されているので、以下に示すような効果を奏する。
複数の音声ＩＰ端末装置がＩＰネットワークに接続され、音声データを伝送するよう構成された音声ＩＰ伝送システムにおいて、音声ＩＰ端末装置をそれぞれ特定する番号及びＩＰアドレスの対応テーブルと、それぞれ呼制御を実行する複数の第一の呼制御部と、この第一の呼制御部を管理する呼制御管理部とを有し、呼制御の実行により音声データを送信する送信側の音声ＩＰ端末装置と、対応テーブルと、送信側の音声ＩＰ端末装置の第一の呼制御部との間で呼制御を実行する第二の呼制御部とをそれぞれ有し、呼制御の実行により送信側の音声ＩＰ端末装置から送信される音声データを受信する複数の受信側の音声ＩＰ端末装置と、マンマシンインタフェースを有すると共に、送信側の音声ＩＰ端末装置に音声データを送信させるよう受信側の音声ＩＰ端末装置の番号情報を含むコマンドを発行するＨＩＦ装置を備え、送信側の音声ＩＰ端末装置は、ＨＩＦ装置からのコマンドに応じて、対応テーブルから得られるＩＰアドレスを用いて複数の第一の呼制御部により、第一の呼制御部に対応する受信側の音声ＩＰ端末装置にそれぞれ呼制御を実行して音声データを送信するので、専用のゲートキーパーやマルチキャストサーバ、またはマルチキャスト送信が可能な装置などの管理装置を設置することなく、ＩＰネットワークによる音声データの放送を行うことができる。
【００３５】
また、送信側の音声ＩＰ端末装置は、アナログ音声信号を入出力する音声インタフェース部と、アナログ音声信号と符号化音声データとの変換を行うＣＯＤＥＣ部と、ＩＰネットワークに接続され音声データの送受信を行うＬＡＮインタフェース部とを有し、音声インタフェース部により入力されたアナログ音声信号がＣＯＤＥＣ部により符号化音声データに変換されてＬＡＮインタフェース部により送信されるので、音声インタフェース部に入力された音声信号を送信することができる。
また、受信側の音声ＩＰ端末装置は、アナログ音声信号を入出力する音声インタフェース部と、アナログ音声信号と符号化音声データとの変換を行うＣＯＤＥＣ部と、ＩＰネットワークに接続され音声データの送受信を行うＬＡＮインタフェース部とを有し、ＬＡＮインタフェース部によって受信された音声データがＣＯＤＥＣ部によりアナログ音声信号に変換されて音声インタフェース部により出力されるので、受信した音声データを音声インタフェース部により出力することができる。
【００３６】
さらに、音声ＩＰ端末装置は、設定により受信側の音声ＩＰ端末装置または送信側の音声ＩＰ端末装置として機能するように構成されているので、設定によりどちらの音声ＩＰ端末装置としても利用できる。
また、送信側の音声ＩＰ端末装置から送信される音声データには、送信側の音声ＩＰ端末装置に接続された電話機からの音声データが含まれると共に、対応テーブルの番号には電話機の電話番号が含まれているので、電話機の音声データを送信することができる。
【００３７】
また、受信側の音声ＩＰ端末装置は、音声データを蓄積するバッファを有すると共に、バッファに蓄積された音声データは、呼制御の実行により音声データが送信される送信側の音声ＩＰ端末装置及び受信側の音声ＩＰ端末装置のいずれか一方または両方で再生されるので、繰り返し再生したり、固定音声で再生することができる。
さらにまた、送信側の音声ＩＰ端末装置は、音声データを蓄積するバッファを有すると共に、バッファに蓄積された音声データは、送信側の音声ＩＰ端末装置及び受信側の音声ＩＰ端末装置のいずれか一方または両方で再生されるので、繰り返し再生したり、固定音声で再生することができる。
【００３８】
また、バッファに蓄積された音声データは、バッファに蓄積されないリアルタイムの音声データと同期されて出力されるので、リアルタイムの音声データに蓄積された音声データを挿入したり、蓄積された音声データにリアルタイムの音声データを挿入して出力することができる。
また、バッファに蓄積された音声データは、固定音声で再生されるので、聞き取りやすい音声で再生することができる。
【図面の簡単な説明】
【図１】  この発明の実施の形態１〜実施の形態５による音声ＩＰ伝送システムを示すシステム構成図である。
【図２】  この発明の実施の形態１〜実施の形態５による音声ＩＰ伝送システムの音声ＩＰ子局装置の内部構成を示す図である。
【図３】  この発明の実施の形態１〜実施の形態５による音声ＩＰ伝送システムの音声ＩＰ親局装置の内部構成を示す図である。
【図４】  この発明の実施の形態１による音声ＩＰ伝送システムの呼制御シーケンスを示す図である。
【図５】  この発明の実施の形態１による音声ＩＰ伝送システムの音声データ送信シーケンスを示す図である。
【図６】  この発明の実施の形態３による音声ＩＰ伝送システムのバッファ構成を示す図である。
【図７】  この発明の実施の形態５による音声ＩＰ伝送システムの音声データ同期制御実現例を示す図である。
【図８】  従来の音声放送システムを示す構成図である。
【符号の説明】
２  電話機、３  スピーカ、４  マイク、５  ＩＰネットワーク、
１３  音声ＩＰ親局装置、１４  音声ＩＰ子局装置、１５  集音マイク、
１６  ＨＩＦ装置、１１１  電話機インタフェース部、
１１２  汎用音声インタフェース部、１１３  ＣＯＤＥＣ部、
１１４  バッファ管理部、１１５  送受信部、
１１６  ＬＡＮインタフェース部、１１７  番号−ＩＰアドレス対応テーブル、
１１８  呼制御部、１１９  呼制御管理部。
【図１】
0003762709.tif 000002
【図２】
0003762709.tif 000003
【図３】
0003762709.tif 000004
【図４】
0003762709.tif 000005
【図５】
0003762709.tif 000006
【図６】
0003762709.tif 000007
【図７】
0003762709.tif 000008
【図８】
0003762709.tif 000009